【手続補正書】
【提出日】平成21年4月17日(2009.4.17)
【手続補正１】
【補正対象書類名】特許請求の範囲
【補正対象項目名】全文
【補正方法】変更
【補正の内容】
【特許請求の範囲】
【請求項１】
複数個のデータに対応するパイロット基準値、及び前記パイロット基準値に対応するパイロット差分値を獲得し、
前記パイロット基準値及び前記パイロット差分値を加算することによって、前記データを獲得する、信号処理方法であって、
前記パイロット基準値は前記複数個のデータに共通して対応し、
前記パイロット差分値は前記複数個のデータのそれぞれに対応し、
前記パイロット差分値の数は、前記複数個のデータの数に等しい、
ことを特徴とする信号処理方法。
【請求項２】
更に、前記パイロット差分値及び前記パイロット基準値のうちの少なくとも１つをデコーディングすることを特徴とする、請求項１に記載の信号処理方法。
【請求項３】
前記データはパラメータであり、前記獲得されたパラメータを用いてオーディオ信号を復元することを特徴とする、請求項１に記載の信号処理方法。
【請求項４】
前記パラメータは、チャンネルレベル差（ＣＬＤ）、チャンネル間コヒーレンス（ＩＣＣ）、チャンネル予測係数（ＣＰＣ）、及び任意のダウンミックス利得（ＡＤＧ）のうちの少なくとも一つを含む空間情報であることを特徴とする、請求項３に記載の信号処理方法。
【請求項５】
前記パイロット基準値は、前記複数個のデータの、平均値、中間値、最頻値、及びデフォルト値のうちの１つであることを特徴とする、請求項１に記載の信号処理方法。
【請求項６】
前記パイロット基準値は、テーブルから抽出した１つの値であることを特徴とする、請求項１に記載の信号処理方法。
【請求項７】
更に、前記複数個のデータのそれぞれを前記パイロット基準値に設定した後、最も高い符号化効率を示すデータを最終的な前記パイロット基準値として選定することを特徴とする、請求項１に記載の信号処理方法。
【請求項８】
複数個のデータに対応するパイロット基準値を前記データから減算することによって、パイロット差分値を生成し、
前記生成されたパイロット差分値を転送する、信号処理方法であって、
前記パイロット基準値は前記複数個のデータに共通して対応し、
前記パイロット差分値は前記複数個のデータのそれぞれに対応し、
前記パイロット差分値の数は、前記複数個のデータの数に等しい、
ことを特徴とする、信号処理方法。
【請求項９】
複数個のデータに対応するパイロット基準値を前記データから減算することによって、パイロット差分値を生成する値生成部と、
前記生成されたパイロット差分値を転送する出力部と、
を備えた、信号処理装置であって、
前記パイロット基準値は前記複数個のデータに共通して対応し、
前記パイロット差分値は前記複数個のデータのそれぞれに対応し、
前記パイロット差分値の数は、前記複数個のデータの数に等しい、
ことを特徴とする、信号処理装置。
【請求項１０】
複数個のデータに対応するパイロット基準値、及び前記パイロット基準値に対応するパイロット差分値を獲得する値獲得部と、
前記パイロット基準値及び前記パイロット差分値を加算することによって、前記データを獲得するデータ獲得部と、を備えた、信号処理装置であって、
前記パイロット基準値は前記複数個のデータに共通して対応し、
前記パイロット差分値は前記複数個のデータのそれぞれに対応し、
前記パイロット差分値の数は、前記複数個のデータの数に等しい、
ことを特徴とする、信号処理装置。
【請求項１１】
前記データ獲得部は、前記パイロット差分値及び前記パイロット基準値のうちの少なくとも１つをデコーディングすることを特徴とする、請求項１０に記載の信号処理装置。
【請求項１２】
前記データはパラメータであり、前記装置は更に、前記獲得されたパラメータを用いてオーディオ信号を復元するマルチチャンネル生成部を備えることを特徴とする、請求項１０に記載の信号処理装置。
【請求項１３】
前記パラメータは、チャンネルレベル差（ＣＬＤ）、チャンネル間コヒーレンス（ＩＣＣ）、チャンネル予測係数（ＣＰＣ）、及び任意のダウンミックス利得（ＡＤＧ）のうち少なくとも一つを含む空間情報であることを特徴とする、請求項１２に記載の信号処理装置。
【請求項１４】
前記パイロット基準値は、前記複数個のデータの、平均値、中間値、最頻値、及びデフォルト値のうちの１つであることを特徴とする、請求項１０に記載の信号処理装置。
【請求項１５】
前記パイロット基準値は、テーブルから抽出した１つの値であることを特徴とする、請求項１０に記載の信号処理装置。
【手続補正２】
【補正対象書類名】明細書
【補正対象項目名】００１０
【補正方法】変更
【補正の内容】
【００１０】
上記の目的を達成するための、本発明に係る信号処理方法は、複数個のデータに対応するパイロット基準値、及びパイロット基準値に対応するパイロット差分値を獲得し、パイロット基準値及びパイロット差分値を加算することによって、データを獲得する、信号処理方法であって、パイロット基準値は前記複数個のデータに共通して対応し、パイロット差分値は複数個のデータのそれぞれに対応し、パイロット差分値の数は、複数個のデータの数に等しい、ことを特徴とする。信号処理方法は、さらにパイロット差分値及びパイロット基準値のうちの少なくとも１つをデコーディングすることが好ましい。また、信号処理方法は、さらにデータはパラメータであり、獲得されたパラメータを用いてオーディオ信号を復元することが好ましい。
【手続補正３】
【補正対象書類名】明細書
【補正対象項目名】００１１
【補正方法】変更
【補正の内容】
【００１１】
また、上記の目的を達成するための、本発明に係る信号処理装置は、複数個のデータに対応するパイロット基準値と、パイロット基準値に対応するパイロット差分値を獲得する値獲得部と、パイロット基準値及びパイロット差分値を加算することによって、データを獲得するデータ獲得部と、を含む、信号処理装置であって、パイロット基準値は複数個のデータに共通して対応し、パイロット差分値は複数個のデータのそれぞれに対応し、パイロット差分値の数は、複数個のデータの数に等しい、ことを特徴とする。
【手続補正４】
【補正対象書類名】明細書
【補正対象項目名】００１２
【補正方法】変更
【補正の内容】
【００１２】
また、上記の目的を達成するための、本発明に係る他の信号処理方法は、複数個のデータに対応するパイロット基準値をデータから減算することによって、パイロット差分値を生成し、生成されたパイロット差分値を転送する、信号処理方法であって、パイロット基準値は複数個のデータに共通して対応し、パイロット差分値は複数個のデータのそれぞれに対応し、パイロット差分値の数は、複数個のデータの数に等しい、ことを特徴とする。
【手続補正５】
【補正対象書類名】明細書
【補正対象項目名】００１３
【補正方法】変更
【補正の内容】
【００１３】
また、上記の目的を達成するための、本発明に係る信号処理装置は、複数個のデータに対応するパイロット基準値をデータから減算することによって、パイロット差分値を生成する値生成部と、生成されたパイロット差分値を転送する出力部と、を備えた、信号処理装置であって、パイロット基準値は複数個のデータに共通して対応し、パイロット差分値は複数個のデータのそれぞれに対応し、パイロット差分値の数は、複数個のデータの数に等しい、ことを特徴とする。